(57)【特許請求の範囲】
【請求項１】
中継局を含む無線通信システムにおける基地局による参照信号を送信する方法であって、
前記方法は、
複数のレイヤの各々に対して前記中継局のための制御チャネルであるＲ−ＰＤＣＣＨ（Ｒｅｌａｙ−Ｐｈｙｓｉｃａｌ  Ｄｏｗｎｌｉｎｋ  Ｃｏｎｔｒｏｌ  Ｃｈａｎｎｅｌ）の復調のための複数のＲ−ＰＤＣＣＨ参照信号を生成することと、
前記複数のＲ−ＰＤＣＣＨ参照信号を予め指定された参照信号パターンによって少なくとも一つのリソースブロック内の中継領域に含まれるＲ−ＰＤＣＣＨ領域にマッピングすることと、
前記少なくとも一つのリソースブロックを複数のアンテナポートを介して送信することと
を含み、
前記予め指定された参照信号パターンは、ＤＭＲＳ（Ｄｅｍｏｄｕｌａｔｉｏｎ  Ｒｅｆｅｒｅｎｃｅ  Ｓｉｇｎａｌ）に割り当てることができるリソース要素（ＲＥ）の最大個数に基づいて決定される、方法。
【請求項２】
前記中継領域は、一つのサブフレームの４番目のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル乃至１３番目のＯＦＤＭシンボル、又は５番目のＯＦＤＭシンボル乃至１３番目のＯＦＤＭシンボルを占める、請求項１に記載の方法。
【請求項３】
前記Ｒ−ＰＤＣＣＨ領域は、前記中継領域の前方部の３個のＯＦＤＭシンボルを占めるか、或いは前記中継領域が属するサブフレームの第２のスロットの前方部の３個のＯＦＤＭシンボルを占める、請求項１に記載の方法。
【請求項４】
前記複数のＲ−ＰＤＣＣＨ参照信号は、前記Ｒ−ＰＤＣＣＨ領域の１番目のＯＦＤＭシンボルにマッピングされる、請求項１に記載の方法。
【請求項５】
前記複数のＲ−ＰＤＣＣＨ参照信号は、前記Ｒ−ＰＤＣＣＨ領域の１番目及び３番目のＯＦＤＭシンボルにマッピングされる、請求項１に記載の方法。
【請求項６】
前記複数のＲ−ＰＤＣＣＨ参照信号は、ＣＤＭ（Ｃｏｄｅ  Ｄｉｖｉｓｉｏｎ  Ｍｕｌｔｉｐｌｅｘｉｎｇ）に基づいて多重化される、請求項１に記載の方法。
【請求項７】
直交シーケンスに基づいて前記ＣＤＭの多重化が実行される、請求項６に記載の方法。
【請求項８】
前記複数のＲ−ＰＤＣＣＨ参照信号の全部又は一部は、３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）のＣＲＳ（Ｃｅｌｌ−ｓｐｅｃｉｆｉｃ  Ｒｅｆｅｒｅｎｃｅ  Ｓｉｇｎａｌ）又は３ＧＰＰ  ＬＴＥ−Ａ（ＬＴＥ−ａｄｖａｎｃｅｄ）のＤＭＲＳ（Ｄｅｍｏｄｕｌａｔｉｏｎ  Ｒｅｆｅｒｅｎｃｅ  Ｓｉｇｎａｌ）である、請求項１に記載の方法。
【請求項９】
前記Ｒ−ＰＤＣＣＨ参照信号の全部又は一部として前記３ＧＰＰ  ＬＴＥのＣＲＳを用いるか、前記３ＧＰＰ  ＬＴＥ−ＡのＤＭＲＳを用いるかを上位階層を介してシグナリングすることをさらに含む、請求項８に記載の方法。
【請求項１０】
前記複数のＲ−ＰＤＣＣＨ参照信号の各々は、前記少なくとも一つのリソースブロック内で一定の副搬送波間隔にマッピングされる、請求項１に記載の方法。
【請求項１１】
中継局を含む無線通信システムにおける前記中継局による制御チャネルを復調する方法であって、
前記方法は、
ダウンリンクサブフレーム内の中継領域に含まれるＲ−ＰＤＣＣＨ（Ｒｅｌａｙ−Ｐｈｙｓｉｃａｌ  Ｄｏｗｎｌｉｎｋ  Ｃｏｎｔｒｏｌ  Ｃｈａｎｎｅｌ）領域を介して前記中継局のための制御チャネルであるＲ−ＰＤＣＣＨのための複数のＲ−ＰＤＣＣＨ参照信号を受信することと、
前記複数のＲ−ＰＤＣＣＨ参照信号を処理して前記Ｒ−ＰＤＣＣＨを復調することと
を含み、
前記複数のＲ−ＰＤＣＣＨ参照信号は、予め指定された参照信号パターンによって少なくとも一つのリソースブロック内の前記Ｒ−ＰＤＣＣＨ領域にマッピングされ、
前記予め指定された参照信号パターンは、ＤＭＲＳ（Ｄｅｍｏｄｕｌａｔｉｏｎ  Ｒｅｆｅｒｅｎｃｅ  Ｓｉｇｎａｌ）に割り当てることができるリソース要素（ＲＥ）の最大個数に基づいて決定される、方法。
【請求項１２】
前記複数のＲ−ＰＤＣＣＨ参照信号は、前記Ｒ−ＰＤＣＣＨ領域の１番目のＯＦＤＭシンボルにマッピングされる、請求項１１に記載の方法。
【請求項１３】
前記複数のＲ−ＰＤＣＣＨ参照信号は、前記Ｒ−ＰＤＣＣＨ領域の１番目及び３番目のＯＦＤＭシンボルにマッピングされる、請求項１１に記載の方法。
【請求項１４】
参照信号を送信する装置であって、
前記装置は、
無線信号を送信又は受信するＲＦ（Ｒａｄｉｏ  Ｆｒｅｑｕｅｎｃｙ）部と、
前記ＲＦ部と連結されるプロセッサと
を含み、
前記プロセッサは、
複数のレイヤの各々に対して中継局のための制御チャネルであるＲ−ＰＤＣＣＨ（Ｒｅｌａｙ−Ｐｈｙｓｉｃａｌ  Ｄｏｗｎｌｉｎｋ  Ｃｏｎｔｒｏｌ  Ｃｈａｎｎｅｌ）の復調のための複数のＲ−ＰＤＣＣＨ参照信号を生成することと、
前記複数のＲ−ＰＤＣＣＨ参照信号を予め指定された参照信号パターンによって少なくとも一つのリソースブロック内の中継領域に含まれるＲ−ＰＤＣＣＨ領域にマッピングすることと、
前記少なくとも一つのリソースブロックを複数のアンテナポートを介して送信することと
を実行するように構成され、
前記予め指定された参照信号パターンは、ＤＭＲＳ（Ｄｅｍｏｄｕｌａｔｉｏｎ  Ｒｅｆｅｒｅｎｃｅ  Ｓｉｇｎａｌ）に割り当てることができるリソース要素（ＲＥ）の最大個数に基づいて決定される、装置。
【発明の詳細な説明】
【技術分野】
【０００１】
本発明は、無線通信に関し、より詳しくは、中継局を含む無線通信システムにおける参照信号送信方法及び装置に関する。
【背景技術】
【０００２】
広帯域無線通信システムの場合、限定された無線リソースの効率性を極大化するために効果的な送受信技法及び活用方案が提案されてきた。次世代無線通信システムで考慮されているシステムのうち一つが、低い複雑度でシンボル間干渉（ＩＳＩ；Ｉｎｔｅｒ−Ｓｙｍｂｏｌ  Ｉｎｔｅｒｆｅｒｅｎｃｅ）効果を減殺させることができる直交周波数分割多重（ＯＦＤＭ；Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）システムである。ＯＦＤＭは、直列に入力されるデータシンボルをＮ個の並列データシンボルに変換し、各々分離されたＮ個の副搬送波（ｓｕｂｃａｒｒｉｅｒ）に載せて送信する。副搬送波は、周波数次元で直交性を維持するようにする。各々の直交チャネルは、相互独立的な周波数選択的フェーディング（ｆｒｅｑｕｅｎｃｙ  ｓｅｌｅｃｔｉｖｅ  ｆａｄｉｎｇ）を経験するようになり、これによって、受信端での複雑度が減少し、送信されるシンボルの間隔が長くなるため、シンボル間干渉が最小化されることができる。
【０００３】
直交周波数分割多重接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ；以下、ＯＦＤＭＡという）とは、ＯＦＤＭを変調方式に使用するシステムにおいて利用可能な副搬送波の一部を各ユーザに独立的に提供して多重接続を実現する多重接続方法のことである。ＯＦＤＭＡは、副搬送波という周波数リソースを各ユーザに提供し、各々の周波数リソースは、多数のユーザに独立的に提供されて互いに重ならないのが一般的である。結局、周波数リソースは、ユーザ毎に相互排他的に割り当てられる。ＯＦＤＭＡシステムで周波数選択的スケジューリング（ｆｒｅｑｕｅｎｃｙ  ｓｅｌｅｃｔｉｖｅ  ｓｃｈｅｄｕｌｉｎｇ）を介して多重ユーザに対する周波数ダイバーシティ（ｆｒｅｑｕｅｎｃｙ  ｄｉｖｅｒｓｉｔｙ）を得ることができ、副搬送波に対する順列（ｐｅｒｍｕｔａｔｉｏｎ）方式によって副搬送波を多様な形態に割り当てることができる。また、多重アンテナ（ｍｕｌｔｉｐｌｅ  ａｎｔｅｎｎａ）を用いた空間多重化技法により空間領域の効率性を高めることができる。
【０００４】
ＭＩＭＯ（Ｍｕｌｔｉｐｌｅ−Ｉｎｐｕｔ  Ｍｕｌｔｉｐｌｅ−Ｏｕｔｐｕｔ）技術は、多重送信アンテナと多重受信アンテナを使用してデータの送受信効率を向上させる。ＭＩＭＯシステムでダイバーシティを具現するための技法には、ＳＦＢＣ（Ｓｐａｃｅ  Ｆｒｅｑｕｅｎｃｙ  Ｂｌｏｃｋ  Ｃｏｄｅ）、ＳＴＢＣ（Ｓｐａｃｅ  Ｔｉｍｅ  Ｂｌｏｃｋ  Ｃｏｄｅ）、ＣＤＤ（Ｃｙｃｌｉｃ  Ｄｅｌａｙ  Ｄｉｖｅｒｓｉｔｙ）、ＦＳＴＤ（ｆｒｅｑｕｅｎｃｙ  ｓｗｉｔｃｈｅｄ  ｔｒａｎｓｍｉｔ  ｄｉｖｅｒｓｉｔｙ）、ＴＳＴＤ（ｔｉｍｅ  ｓｗｉｔｃｈｅｄ  ｔｒａｎｓｍｉｔ  ｄｉｖｅｒｓｉｔｙ）、ＰＶＳ（Ｐｒｅｃｏｄｉｎｇ  Ｖｅｃｔｏｒ  Ｓｗｉｔｃｈｉｎｇ）、空間多重化（ＳＭ；Ｓｐａｔｉａｌ  Ｍｕｌｔｉｐｌｅｘｉｎｇ）などがある。受信アンテナ数と送信アンテナ数によるＭＩＭＯチャネル行列は、複数の独立チャネルに分解されることができる。各々の独立チャネルをレイヤ（ｌａｙｅｒ）又はストリーム（ｓｔｒｅａｍ）という。レイヤの個数をランク（ｒａｎｋ）という。
【０００５】
無線通信システムではデータの送／受信、システム同期獲得、チャネル情報フィードバックなどのためにアップリンクチャネル又はダウンリンクチャネルを推定する必要がある。無線通信システム環境では多重経路時間遅延のためフェーディングが発生するようになる。フェーディングによる急激な環境変化により発生する信号の歪曲を補償して送信信号を復元する過程をチャネル推定という。また、端末が属するセル或いは他のセルに対するチャネル状態（ｃｈａｎｎｅｌ  ｓｔａｔｅ）を測定する必要がある。チャネル推定又はチャネル状態測定のために、一般的に送受信機が相互間に知っている参照信号（ＲＳ；Ｒｅｆｅｒｅｎｃｅ  Ｓｉｇｎａｌ）を用いてチャネル推定を実行するようになる。
【０００６】
参照信号送信に使われる副搬送波を参照信号副搬送波といい、データ送信に使われるリソース要素をデータ副搬送波という。ＯＦＤＭシステムで、参照信号は、全ての副搬送波に割り当てる方式とデータ副搬送波間に割り当てる方式とがある。参照信号を全ての副搬送波に割り当てる方式は、チャネル推定性能の利得を得るためにプリアンブル信号のように参照信号のみからなる信号を用いる。これを使用する場合、一般的に参照信号の密度が高いため、データ副搬送波間に参照信号を割り当てる方式に比べてチャネル推定性能が改善されることができる。然しながら、データの送信量が減少されるため、データの送信量を増大させるためにはデータ副搬送波間に参照信号を割り当てる方式を使用するようになる。このような方法を使用する場合、参照信号の密度が減少するため、チャネル推定性能の劣化が発生するようになり、これを最小化することができる適切な配置が要求される。
【０００７】
受信機は、参照信号の情報を知っているため、受信された信号でこれを分けてチャネルを推定することができ、推定されたチャネル値を補償して送信端で送ったデータを正確に推定することができる。送信機で送る参照信号をｐ、参照信号が送信中に経るようになるチャネル情報をｈ、受信機で発生する列雑音をｎ、受信機で受信された信号をｙとすると、ｙ＝ｈ・ｐ＋ｎのように示すことができる。この時、参照信号ｐは、受信機が既に知っているため、ＬＳ（Ｌｅａｓｔ  Ｓｑｕａｒｅ）方式を用いる場合、数式１のようにチャネル情報
【０００８】
【化１】
0005475139.tif 000002
を推定することができる。
【０００９】
【化２】
0005475139.tif 000003
この時、参照信号ｐを用いて推定したチャネル推定値
【００１０】
【化３】
0005475139.tif 000004
値によってその正確度が決定されるようになる。従って、正確なｈ値の推定のためには、
【００１１】
【化４】
0005475139.tif 000005
が０に収束しなければならず、このためには多くの個数の参照信号を用いてチャネルを推定して
【００１２】
【化５】
0005475139.tif 000006
の影響を最小化しなければならない。優秀なチャネル推定性能のための多様なアルゴリズムが存在することができる。
【００１３】
一方、最近、中継局（ＲＳ；Ｒｅｌａｙ  Ｓｔａｔｉｏｎ）を含む無線通信システムが開発されている。中継局は、セルカバレッジを拡張させて送信性能を向上させる役割をする。基地局が、基地局のカバレッジ境界に位置した端末を中継局を介してサービスすることによって、セルカバレッジを拡張させる効果を得ることができる。また、中継局が、基地局と端末との間で信号の送信信頼性を向上させることによって、送信容量を増加させることができる。端末が、基地局のカバレッジ内にあるとしても陰影地域に位置した場合に中継局を用いることもできる。基地局と中継器との間のアップリンク及びダウンリンクは、バックホールリンク（ｂａｃｋｈａｕｌ  ｌｉｎｋ）であり、基地局と端末、又は中継器と端末との間のアップリンク及びダウンリンクは、アクセスリンク（ａｃｃｅｓｓ  ｌｉｎｋ）である。以下、バックホールリンクを介して送信される信号をバックホール信号といい、アクセスリンクを介して送信される信号をアクセス信号という。
【００１４】
中継局のための参照信号を効率的に送信するための方法が必要である。
【発明の概要】
【発明が解決しようとする課題】
【００１５】
本発明の技術的課題は、中継局を含む無線通信システムにおける参照信号送信方法及び装置を提供することである。
【課題を解決するための手段】
【００１６】
一態様において、中継局を含む無線通信システムにおける基地局による参照信号送信方法が提供される。前記参照信号送信方法は、複数のレイヤの各々に対して中継局のための制御チャネルであるＲ（ｒｅｌａｙ）−ＰＤＣＣＨ（Ｐｈｙｓｉｃａｌ  Ｄｏｗｎｌｉｎｋ  Ｃｏｎｔｒｏｌ  Ｃｈａｎｎｅｌ）の復調（ｄｅｍｏｄｕｌａｔｉｏｎ）のための複数のＲ−ＰＤＣＣＨ参照信号を生成し、前記複数のＲ−ＰＤＣＣＨ参照信号を予め指定された参照信号パターンによって少なくとも一つのリソースブロック内の中継領域（ｒｅｌａｙ  ｚｏｎｅ）に含まれるＲ−ＰＤＣＣＨ領域にマッピングし、前記少なくとも一つのリソースブロックを複数のアンテナポートを介して送信することを含むことを特徴とする。前記中継領域は、一つのサブフレームの４番目のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル乃至１３番目のＯＦＤＭシンボル、又は５番目のＯＦＤＭシンボル乃至１３番目のＯＦＤＭシンボルを占める。前記Ｒ−ＰＤＣＣＨ領域は、前記中継領域の前方部の３個のＯＦＤＭシンボルを占めたり、或いは前記中継領域が属するサブフレーム（ｓｕｂｆｒａｍｅ）の第２のスロットの前方部の３個のＯＦＤＭシンボルを占める。前記複数のＲ−ＰＤＣＣＨ参照信号は、前記Ｒ−ＰＤＣＣＨ領域の１番目のＯＦＤＭシンボルにマッピングされたり、前記Ｒ−ＰＤＣＣＨ領域の１番目の及び３番目のＯＦＤＭシンボルにマッピングされる。前記複数のＲ−ＰＤＣＣＨ参照信号は、ＣＤＭ（Ｃｏｄｅ  Ｄｉｖｉｓｉｏｎ  Ｍｕｌｔｉｐｌｅｘｉｎｇ）方式に多重化され、直交シーケンス（ｏｒｔｈｏｇｏｎａｌ  ｓｅｑｕｅｎｃｅ）に基づいて前記ＣＤＭ方式の多重化が実行される。前記複数のＲ−ＰＤＣＣＨ参照信号の全部又は一部は、３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）ｒｅｌ−８のセル特定参照信号（ＣＲＳ；Ｃｅｌｌ−ｓｐｅｃｉｆｉｃ  Ｒｅｆｅｒｅｎｃｅ  Ｓｉｇｎａｌ）又は３ＧＰＰ  ＬＴＥ−Ａ（ａｄｖａｎｃｅｄ）の復調参照信号（ＤＭＲＳ；Ｄｅｍｏｄｕｌａｔｉｏｎ  Ｒｅｆｅｒｅｎｃｅ  Ｓｉｇｎａｌ）である。前記参照信号送信方法は、前記Ｒ−ＰＤＣＣＨ参照信号の全部又は一部として前記３ＧＰＰ  ＬＴＥ  ｒｅｌ−８のＣＲＳを用いるか、又は前記３ＧＰＰ  ＬＴＥ−ＡのＤＭＲＳを用いるかを上位階層（ｈｉｇｈｅｒ  ｌａｙｅｒ）を介してシグナリングすることをさらに含む。各Ｒ−ＰＤＣＣＨ参照信号は、前記少なくとも一つのリソースブロック内で一定の副搬送波間隔にマッピングされる。
【００１７】
他の態様において、中継局を含む無線通信システムにおける中継局による制御チャネル復調方法が提供される。前記制御チャネル復調方法は、ダウンリンクサブフレーム内の中継領域に含まれるＲ−ＰＤＣＣＨ領域を介して中継局のための制御チャネルであるＲ−ＰＤＣＣＨのための複数のＲ−ＰＤＣＣＨ参照信号を受信し、前記複数のＲ−ＰＤＣＣＨ参照信号を処理して前記Ｒ−ＰＤＣＣＨを復調することを含むことを特徴とする。
【００１８】
他の態様において、参照信号送信装置が提供される。前記参照信号送信装置は、無線信号を送信又は受信するＲＦ（Ｒａｄｉｏ  Ｆｒｅｑｕｅｎｃｙ）部、及び前記ＲＦ部と連結されるプロセッサを含み、前記プロセッサは、複数のレイヤの各々に対して中継局のための制御チャネルであるＲ−ＰＤＣＣＨの復調のための複数のＲ−ＰＤＣＣＨ参照信号を生成し、前記複数のＲ−ＰＤＣＣＨ参照信号を予め指定された参照信号パターンによって少なくとも一つのリソースブロック内の中継領域に含まれるＲ−ＰＤＣＣＨ領域にマッピングし、前記少なくとも一つのリソースブロックを複数のアンテナポートを介して送信するように構成されることを特徴とする。
本明細書は、例えば、以下の項目も提供する。
（項目１）
中継局を含む無線通信システムにおける基地局による参照信号送信方法において、
複数のレイヤの各々に対して中継局のための制御チャネルであるＲ（ｒｅｌａｙ）−ＰＤＣＣＨ（Ｐｈｙｓｉｃａｌ  Ｄｏｗｎｌｉｎｋ  Ｃｏｎｔｒｏｌ  Ｃｈａｎｎｅｌ）の復調（ｄｅｍｏｄｕｌａｔｉｏｎ）のための複数のＲ−ＰＤＣＣＨ参照信号を生成し、
前記複数のＲ−ＰＤＣＣＨ参照信号を予め指定された参照信号パターンによって少なくとも一つのリソースブロック内の中継領域（ｒｅｌａｙ  ｚｏｎｅ）に含まれるＲ−ＰＤＣＣＨ領域にマッピングし、
前記少なくとも一つのリソースブロックを複数のアンテナポートを介して送信することを含むことを特徴とする参照信号送信方法。
（項目２）
前記中継領域は、一つのサブフレームの４番目のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル乃至１３番目のＯＦＤＭシンボル、又は５番目のＯＦＤＭシンボル乃至１３番目のＯＦＤＭシンボルを占めることを特徴とする項目１に記載の参照信号送信方法。
（項目３）
前記Ｒ−ＰＤＣＣＨ領域は、前記中継領域の前方部の３個のＯＦＤＭシンボルを占めたり、或いは前記中継領域が属するサブフレーム（ｓｕｂｆｒａｍｅ）の第２のスロットの前方部の３個のＯＦＤＭシンボルを占めることを特徴とする項目１に記載の参照信号送信方法。
（項目４）
前記複数のＲ−ＰＤＣＣＨ参照信号は、前記Ｒ−ＰＤＣＣＨ領域の１番目のＯＦＤＭシンボルにマッピングされることを特徴とする項目１に記載の参照信号送信方法。
（項目５）
前記複数のＲ−ＰＤＣＣＨ参照信号は、前記Ｒ−ＰＤＣＣＨ領域の１番目の及び３番目のＯＦＤＭシンボルにマッピングされることを特徴とする項目１に記載の参照信号送信方法。
（項目６）
前記複数のＲ−ＰＤＣＣＨ参照信号は、ＣＤＭ（Ｃｏｄｅ  Ｄｉｖｉｓｉｏｎ  Ｍｕｌｔｉｐｌｅｘｉｎｇ）方式に多重化されることを特徴とする項目１に記載の参照信号送信方法。
（項目７）
直交シーケンス（ｏｒｔｈｏｇｏｎａｌ  ｓｅｑｕｅｎｃｅ）に基づいて前記ＣＤＭ方式の多重化が実行されることを特徴とする項目６に記載の参照信号送信方法。
（項目８）
前記複数のＲ−ＰＤＣＣＨ参照信号の全部又は一部は、３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）ｒｅｌ−８のセル特定参照信号（ＣＲＳ；Ｃｅｌｌ−ｓｐｅｃｉｆｉｃ  Ｒｅｆｅｒｅｎｃｅ  Ｓｉｇｎａｌ）又は３ＧＰＰ  ＬＴＥ−Ａ（ａｄｖａｎｃｅｄ）の復調参照信号（ＤＭＲＳ；Ｄｅｍｏｄｕｌａｔｉｏｎ  Ｒｅｆｅｒｅｎｃｅ  Ｓｉｇｎａｌ）であることを特徴とする項目１に記載の参照信号送信方法。
（項目９）
前記Ｒ−ＰＤＣＣＨ参照信号の全部又は一部として前記３ＧＰＰ  ＬＴＥ  ｒｅｌ−８のＣＲＳを用いるか、又は前記３ＧＰＰ  ＬＴＥ−ＡのＤＭＲＳを用いるかを上位階層（ｈｉｇｈｅｒ  ｌａｙｅｒ）を介してシグナリングすることをさらに含むことを特徴とする項目８に記載の参照信号送信方法。
（項目１０）
各Ｒ−ＰＤＣＣＨ参照信号は、前記少なくとも一つのリソースブロック内で一定の副搬送波間隔にマッピングされることを特徴とする項目１に記載の参照信号送信方法。
（項目１１）
中継局を含む無線通信システムにおける中継局による制御チャネル復調方法において、
ダウンリンクサブフレーム内の中継領域に含まれるＲ（ｒｅｌａｙ）−ＰＤＣＣＨ（Ｐｈｙｓｉｃａｌ  Ｄｏｗｎｌｉｎｋ  Ｃｏｎｔｒｏｌ  Ｃｈａｎｎｅｌ）領域を介して中継局のための制御チャネルであるＲ−ＰＤＣＣＨのための複数のＲ−ＰＤＣＣＨ参照信号を受信し、
前記複数のＲ−ＰＤＣＣＨ参照信号を処理して前記Ｒ−ＰＤＣＣＨを復調することを含むことを特徴とする制御チャネル復調方法。
（項目１２）
前記複数のＲ−ＰＤＣＣＨ参照信号は、前記Ｒ−ＰＤＣＣＨ領域の１番目のＯＦＤＭシンボルにマッピングされることを特徴とする項目１１に記載の制御チャネル復調方法。
（項目１３）
前記複数のＲ−ＰＤＣＣＨ参照信号は、前記Ｒ−ＰＤＣＣＨ領域の１番目の及び３番目のＯＦＤＭシンボルにマッピングされることを特徴とする項目１１に記載の制御チャネル復調方法。
（項目１４）
無線信号を送信又は受信するＲＦ（Ｒａｄｉｏ  Ｆｒｅｑｕｅｎｃｙ）部；及び、
前記ＲＦ部と連結されるプロセッサ；を含み、
前記プロセッサは、
複数のレイヤの各々に対して中継局のための制御チャネルであるＲ（ｒｅｌａｙ）−ＰＤＣＣＨ（Ｐｈｙｓｉｃａｌ  Ｄｏｗｎｌｉｎｋ  Ｃｏｎｔｒｏｌ  Ｃｈａｎｎｅｌ）の復調（ｄｅｍｏｄｕｌａｔｉｏｎ）のための複数のＲ−ＰＤＣＣＨ参照信号を生成し、
前記複数のＲ−ＰＤＣＣＨ参照信号を予め指定された参照信号パターンによって少なくとも一つのリソースブロック内の中継領域（ｒｅｌａｙ  ｚｏｎｅ）に含まれるＲ−ＰＤＣＣＨ領域にマッピングし、
前記少なくとも一つのリソースブロックを複数のアンテナポートを介して送信するように構成されることを特徴とする参照信号送信装置。
【発明の効果】
【００１９】
中継局のための制御チャネルであるＲ（ｒｅｌａｙ）−ＰＤＣＣＨ（Ｐｈｙｓｉｃａｌ  Ｄｏｗｎｌｉｎｋ  Ｃｏｎｔｒｏｌ  Ｃｈａｎｎｅｌ）の復調（ｄｅｍｏｄｕｌａｔｉｏｎ）のためのＲ−ＰＤＣＣＨ参照信号を割り当てることによって効果的にＲ−ＰＤＣＣＨを復調することができる。
【図面の簡単な説明】
【００２０】
【図１】無線通信システムである。
【図２】中継局を用いる無線通信システムである。
【図３】３ＧＰＰ  ＬＴＥにおける無線フレーム（ｒａｄｉｏ  ｆｒａｍｅ）の構造を示す。
【図４】一つのダウンリンクスロットに対するリソースグリッド（ｒｅｓｏｕｒｃｅ  ｇｒｉｄ）の一例を示す。
【図５】ダウンリンクサブフレームの構造を示す。
【図６】ＭＢＳＦＮ（Ｍｕｌｔｉｍｅｄｉａ  Ｂｒｏａｄｃａｓｔ  ａｎｄ  ｍｕｌｔｉｃａｓｔ  Ｓｉｎｇｌｅ  Ｆｒｅｑｕｅｎｃｙ  Ｎｅｔｗｏｒｋ）サブフレームの構造を示す。
【図７】アップリンクサブフレームの構造を示す。
【図８】ＣＲＳ構造の一例である。
【図９】ＣＲＳ構造の一例である。
【図１０】ＣＲＳ構造の一例である。
【図１１】ＤＲＳ構造の一例である。
【図１２】ＤＲＳ構造の一例である。
【図１３】中継領域が割り当てられたダウンリンクサブフレームの一例である。
【図１４】中継領域が割り当てられたリソースブロックの一例である。
【図１５】提案された参照信号送信方法による参照信号パターンの一例である。
【図１６】提案された参照信号送信方法による参照信号パターンの一例である。
【図１７】提案された参照信号送信方法の一実施例である。
【図１８】提案された制御チャネル復調方法の一実施例である。
【図１９】本発明の実施例が具現される基地局及び中継局を示すブロック図である。
【発明を実施するための形態】
【００２１】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などのような多様な無線通信システムに使われることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）で具現されることができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術で具現されることができる。ＯＦＤＭＡは、ＩＥＥＥ８０２．１１（Ｗｉ−Ｆｉ）、ＩＥＥＥ８０２．１６（ＷｉＭＡＸ）、ＩＥＥＥ８０２−２０、Ｅ−ＵＴＲＡ（Ｅｖｏｌｖｅｄ  ＵＴＲＡ）などのような無線技術で具現されることができる。ＩＥＥＥ８０２．１６ｍは、ＩＥＥＥ８０２．１６ｅの進化であり、ＩＥＥＥ８０２．１６ｅに基づくシステムとの後方互換性（ｂａｃｋｗａｒｄ  ｃｏｍｐａｔｉｂｉｌｉｔｙ）を提供する。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）は、Ｅ−ＵＴＲＡ（Ｅｖｏｌｖｅｄ−ＵＭＴＳ  Ｔｅｒｒｅｓｔｒｉａｌ  Ｒａｄｉｏ  Ａｃｃｅｓｓ）を使用するＥ−ＵＭＴＳ（ＥｖｏｌｖｅｄＵＭＴＳ）の一部であり、ダウンリンクでＯＦＤＭＡを採用し、アップリンクでＳＣ−ＦＤＭＡを採用する。ＬＴＥ−Ａ（Ａｄｖａｎｃｅｄ）は３ＧＰＰ  ＬＴＥの進化である。
【００２２】
説明を明確にするために、ＬＴＥ−Ａを中心に記述するが、本発明の技術的思想がこれに制限されるものではない。
【００２３】
図１は、無線通信システムである。
【００２４】
無線通信システム１０は、少なくとも一つの基地局（Ｂａｓｅ  Ｓｔａｔｉｏｎ；ＢＳ）１１を含む。各基地局１１は、特定の地理的領域（一般的にセルという）１５ａ、１５ｂ、１５ｃに対して通信サービスを提供する。また、セルは複数の領域（セクターという）に分けられることができる。端末（Ｕｓｅｒ  Ｅｑｕｉｐｍｅｎｔ；ＵＥ）１２は、固定されたり、或いは移動性を有することができ、ＭＳ（Ｍｏｂｉｌｅ  Ｓｔａｔｉｏｎ）、ＭＴ（Ｍｏｂｉｌｅ  Ｔｅｒｍｉｎａｌ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、無線機器（ｗｉｒｅｌｅｓｓ  ｄｅｖｉｃｅ）、ＰＤＡ（Ｐｅｒｓｏｎａｌ  Ｄｉｇｉｔａｌ  Ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）等、他の用語で呼ばれることもある。基地局１１は、一般的に端末１２と通信する固定局（ｆｉｘｅｄ  ｓｔａｔｉｏｎ）を意味し、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることもある。
【００２５】
端末は、通常的に一つのセルに属し、端末が属するセルをサービングセル（ｓｅｒｖｉｎｇ  ｃｅｌｌ）という。サービングセルに対して通信サービスを提供する基地局をサービング基地局（ｓｅｒｖｉｎｇ  ＢＳ）という。無線通信システムは、セルラシステム（ｃｅｌｌｕｌａｒ  ｓｙｓｔｅｍ）であるため、サービングセルに隣接する他のセルが存在する。サービングセルに隣接する他のセルを隣接セル（ｎｅｉｇｈｂｏｒ  ｃｅｌｌ）という。隣接セルに対して通信サービスを提供する基地局を隣接基地局（ｎｅｉｇｈｂｏｒ  ＢＳ）という。サービングセル及び隣接セルは、端末を基準に相対的に決定される。
【００２６】
この技術は、ダウンリンク（ｄｏｗｎｌｉｎｋ）又はアップリンク（ｕｐｌｉｎｋ）に使われることができる。一般的に、ダウンリンクは基地局１１から端末１２への通信を意味し、アップリンクは端末１２から基地局１１への通信を意味する。ダウンリンクで、送信機は基地局１１の一部分であり、受信機は端末１２の一部分である。アップリンクで、送信機は端末１２の一部分であり、受信機は基地局１１の一部分である。
【００２７】
図２は、中継局を用いた無線通信システムである。
【００２８】
アップリンク送信で、ソース局（ｓｏｕｒｃｅ  ｓｔａｔｉｏｎ）は端末であり、宛先局（ｄｅｓｔｉｎａｔｉｏｎ  ｓｔａｔｉｏｎ）は基地局である。ダウンリンク送信で、ソース局は基地局であり、宛先局は端末である。中継局（ｒｅｌａｙ  ｓｔａｔｉｏｎ）は、端末であってもく、別途の中継器が配置されてもよい。基地局は、中継局と端末との間の連結性（ｃｏｎｎｅｃｔｉｖｉｔｙ）、管理（ｍａｎａｇｅｍｅｎｔ）、制御、及びリソース割当のような機能を遂行することができる。
【００２９】
図２を参照すると、宛先局２０は、中継局２５を介してソース局３０と通信する。アップリンク送信で、ソース局３０は、アップリンクデータを宛先局２０と中継局２５に送り、中継局２５は、受信したデータを再送信する。また、宛先局２０は、中継局２６、２７を介してソース局３１と通信する。アップリンク送信で、ソース局３１は、アップリンクデータを宛先局２０と中継局２６、２７に送り、中継局２６、２７は、受信したデータを同時に又は順次再送信する。
【００３０】
一つの宛先局２０、３個の中継局２５、２６、２７、及び２個のソース局３０、３１を示しているが、これに制限されるものではない。無線通信システムに含まれる宛先局、中継局、及びソース局の数は制限がない。
【００３１】
中継局で使用する中継方式にＡＦ（ａｍｐｌｉｆｙａ  ｎｄ  ｆｏｒｗａｒｄ）及びＤＦ（ｄｅｃｏｄｅ  ａｎｄ  ｆｏｒｗａｒｄ）等、いずれの方式を使用することができ、本発明の技術的思想はこれに制限されるものではない。
【００３２】
図３は、３ＧＰＰ  ＬＴＥにおける無線フレーム（ｒａｄｉｏ  ｆｒａｍｅ）の構造を示す。これは３ＧＰＰ（３ｒｄ  Ｇｅｎｅｒａｔｉｏｎ  Ｐａｒｔｎｅｒｓｈｉｐ  Ｐｒｏｊｅｃｔ）ＴＳ  ３６．２１１  Ｖ８．２．０（２００８−０３）“Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｃｈａｎｎｅｌｓ  ａｎｄ  ｍｏｄｕｌａｔｉｏｎ（Ｒｅｌｅａｓｅ  ８）”の５節を参照することができる。
【００３３】
図３を参照すると、無線フレームは１０個のサブフレーム（ｓｕｂｆｒａｍｅ）で構成され、一つのサブフレームは２個のスロット（ｓｌｏｔ）で構成される。無線フレーム内のスロットは＃０から＃１９までのスロット番号が付けられる。一つのサブフレームの送信にかかる時間をＴＴＩ（Ｔｒａｎｓｍｉｓｓｉｏｎ  Ｔｉｍｅ  Ｉｎｔｅｒｖａｌ）という。ＴＴＩは、データ送信のためのスケジューリング単位を意味する。例えば、一つの無線フレームの長さは１０ｍｓであり、一つのサブフレームの長さは１ｍｓであり、一つのスロットの長さは０．５ｍｓである。
【００３４】
一つのスロットは、時間領域（ｔｉｍｅ  ｄｏｍａｉｎ）で複数のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを含み、周波数領域で複数の副搬送波を含む。ＯＦＤＭシンボルは、３ＧＰＰ  ＬＴＥがダウンリンクでＯＦＤＭＡを使用するため、一つのシンボル区間（ｓｙｍｂｏｌ  ｐｅｒｉｏｄ）を表現するためのものであり、多重接続方式によって他の名称で呼ばれることもある。例えば、アップリンク多重接続方式にＳＣ−ＦＤＭＡが使われる場合、ＳＣ−ＦＤＭＡシンボルということができる。リソースブロック（ＲＢ；Ｒｅｓｏｕｒｃｅ  Ｂｌｏｃｋ）は、リソース割当単位であり、一つのスロットで複数の連続する副搬送波を含む。前記無線フレームの構造は一例に過ぎない。従って、無線フレームに含まれるサブフレームの個数やサブフレームに含まれるスロットの個数、又はスロットに含まれるＯＦＤＭシンボルの個数は、多様に変更されることができる。
【００３５】
３ＧＰＰ  ＬＴＥは、ノーマル（ｎｏｒｍａｌ）サイクリックプレフィックス（ＣＰ；Ｃｙｃｌｉｃ  Ｐｒｅｆｉｘ）で一つのスロットは７個のＯＦＤＭシンボルを含み、拡張（ｅｘｔｅｎｄｅｄ）ＣＰで一つのスロットは６個のＯＦＤＭシンボルを含むと定義している。
【００３６】
図４は、一つのダウンリンクスロットに対するリソースグリッド（ｒｅｓｏｕｒｃｅ  ｇｒｉｄ）の一例を示す。
【００３７】
ダウンリンクスロットは、時間領域で複数のＯＦＤＭシンボルを含み、周波数領域でＮＲＢ個のリソースブロックを含む。ダウンリンクスロットに含まれるリソースブロックの数ＮＲＢは、セルで設定されるダウンリンク送信帯域幅（ｂａｎｄｗｉｄｔｈ）に従属する。例えば、ＬＴＥシステムにおけるＮＲＢは、６０〜１１０のうちいずれか一つである。一つのリソースブロックは、周波数領域で複数の副搬送波を含む。アップリンクスロットの構造も前記ダウンリンクスロットの構造と同様である。
【００３８】
リソースグリッド上の各要素（ｅｌｅｍｅｎｔ）をリソース要素（ｒｅｓｏｕｒｃｅ  ｅｌｅｍｅｎｔ）という。リソースグリッド上のリソース要素は、スロット内のインデックス対（ｐａｉｒ）（ｋ，ｌ）により識別されることができる。ここで、ｋ（ｋ＝０，．．．，ＮＲＢ×１２−１）は周波数領域内の副搬送波インデックスであり、ｌ（ｌ＝０，．．．，６）は時間領域内のＯＦＤＭシンボルインデックスである。
【００３９】
ここで、一つのリソースブロックは、時間領域で７ＯＦＤＭシンボル、周波数領域で１２副搬送波で構成される７×１２リソース要素を含むことを例示的に記述するが、リソースブロック内のＯＦＤＭシンボルの数と副搬送波の数は、これに制限されるものではない。ＯＦＤＭシンボルの数と副搬送波の数は、ＣＰの長さ、周波数間隔（ｆｒｅｑｕｅｎｃｙ  ｓｐａｃｉｎｇ）などによって多様に変更されることができる。例えば、ノーマルＣＰの場合、ＯＦＤＭシンボルの数は７であり、拡張されたＣＰの場合、ＯＦＤＭシンボルの数は６である。一つのＯＦＤＭシンボルで副搬送波の数は、１２８、２５６、５１２、１０２４、１５３６、及び２０４８のうち一つを選定して使用することができる。
【００４０】
図５は、ダウンリンクサブフレームの構造を示す。
【００４１】
ダウンリンクサブフレームは時間領域で２個のスロットを含み、各スロットはノーマルＣＰで７個のＯＦＤＭシンボルを含む。サブフレーム内の第１のスロットの前方部の最大３ＯＦＤＭシンボル（１．４Ｍｈｚ帯域幅に対しては最大４ＯＦＤＭシンボル）は制御チャネルが割り当てられる制御領域（ｃｏｎｔｒｏｌ  ｒｅｇｉｏｎ）であり、残りのＯＦＤＭシンボルはＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域である。
【００４２】
ＰＤＣＣＨは、ＤＬ−ＳＣＨ（Ｄｏｗｎｌｉｎｋ−Ｓｈａｒｅｄ  Ｃｈａｎｎｅｌ）のリソース割当及び送信フォーマット、ＵＬ−ＳＣＨ（Ｕｐｌｉｎｋ  Ｓｈａｒｅｄ  Ｃｈａｎｎｅｌ）のリソース割当情報、ＰＣＨ上のページング情報、ＤＬ−ＳＣＨ上のシステム情報、ＰＤＳＣＨ上に送信されるランダムアクセス応答のような上位階層制御メッセージのリソース割当、任意のＵＥグループ内の個別ＵＥに対する送信パワー制御命令の集合、及びＶｏＩＰ（Ｖｏｉｃｅ  ｏｖｅｒ  Ｉｎｔｅｒｎｅｔ  Ｐｒｏｔｏｃｏｌ）の活性化などを運ぶことができる。複数のＰＤＣＣＨが制御領域内で送信されることができ、端末は複数のＰＤＣＣＨをモニタリングすることができる。ＰＤＣＣＨは、一つ又は複数個の連続的なＣＣＥ（Ｃｏｎｔｒｏｌ  Ｃｈａｎｎｅｌ  Ｅｌｅｍｅｎｔｓ）の集合（ａｇｇｒｅｇａｔｉｏｎ）上に送信される。ＣＣＥは、無線チャネルの状態による符号化率をＰＤＣＣＨに提供するために使われる論理的割当単位である。ＣＣＥは、複数のリソース要素グループ（ｒｅｓｏｕｒｃｅ  ｅｌｅｍｅｎｔ  ｇｒｏｕｐ）に対応される。ＣＣＥの数とＣＣＥにより提供される符号化率の関係によってＰＤＣＣＨのフォーマット及び可能なＰＤＣＣＨのビット数が決定される。
【００４３】
基地局は、端末に送ろうとするＤＣＩによってＰＤＣＣＨフォーマットを決定し、制御情報にＣＲＣ（Ｃｙｃｌｉｃ  Ｒｅｄｕｎｄａｎｃｙ  Ｃｈｅｃｋ）を付ける。ＣＲＣにはＰＤＣＣＨの所有者（ｏｗｎｅｒ）や用途によって固有な識別子（ＲＮＴＩ；Ｒａｄｉｏ  Ｎｅｔｗｏｒｋ  Ｔｅｍｐｏｒａｒｙ  Ｉｄｅｎｔｉｆｉｅｒ）がマスキングされる。特定端末のためのＰＤＣＣＨの場合、端末の固有識別子、例えば、Ｃ−ＲＮＴＩ（Ｃｅｌｌ−ＲＮＴＩ）がＣＲＣにマスキングされることができる。又は、ページングメッセージのためのＰＤＣＣＨの場合、ページング指示識別子、例えば、Ｐ−ＲＮＴＩ（Ｐａｇｉｎｇ−ＲＮＴＩ）がＣＲＣにマスキングされることができる。システム情報（ＳＩＢ；Ｓｙｓｔｅｍ  Ｉｎｆｏｒｍａｔｉｏｎ  Ｂｌｏｃｋ）のためのＰＤＣＣＨの場合、システム情報識別子、ＳＩ−ＲＮＴＩ（Ｓｙｓｔｅｍ  Ｉｎｆｏｒｍａｔｉｏｎ−ＲＮＴＩ）がＣＲＣにマスキングされることができる。端末のランダムアクセスプリアンブルの送信に対する応答であるランダムアクセス応答を指示するためにＲＡ−ＲＮＴＩ（Ｒａｎｄｏｍ  Ａｃｃｅｓｓ−ＲＮＴＩ）がＣＲＣにマスキングされることができる。
【００４４】
図６は、ＭＢＳＦＮ（Ｍｕｌｔｉｍｅｄｉａ  Ｂｒｏａｄｃａｓｔ  ａｎｄ  ｍｕｌｔｉｃａｓｔ  Ｓｉｎｇｌｅ  Ｆｒｅｑｕｅｎｃｙ  Ｎｅｔｗｏｒｋ）サブフレームの構造を示す。ＭＢＦＳＮサブフレームは、ＭＢＭＳ（Ｍｕｌｔｉｍｅｄｉａ  Ｂｒｏａｄｃａｓｔ  ａｎｄ  Ｍｕｌｔｉｃａｓｔ  Ｓｅｒｖｉｃｅ）データを送信するために設定されることができる。ＭＢＳＦＮサブフレームで前方部の１個又は２個のＯＦＤＭシンボルは、ユニキャストデータ又は制御信号の送信に使われることができる。残りのＯＦＤＭシンボルは、ＭＢＭＳデータの送信に使われることができる。
【００４５】
図７は、アップリンクサブフレームの構造を示す。
【００４６】
アップリンクサブフレームは、周波数領域で制御領域とデータ領域に分けられることができる。前記制御領域は、アップリンク制御情報が送信されるためのＰＵＣＣＨ（Ｐｈｙｓｉｃａｌ  Ｕｐｌｉｎｋ  Ｃｏｎｔｒｏｌ  Ｃｈａｎｎｅｌ）が割り当てられる。前記データ領域は、データが送信されるためのＰＵＳＣＨ（Ｐｈｙｓｉｃａｌ  Ｕｐｌｉｎｋ  Ｓｈａｒｅｄ  Ｃｈａｎｎｅｌ）が割り当てられる。単一搬送波（ｓｉｎｇｌｅ  ｃａｒｒｉｅｒ）の特性を維持するために、端末はＰＵＣＣＨとＰＵＳＣＨを同時に送信しない。
【００４７】
一つの端末に対するＰＵＣＣＨは、サブフレームでリソースブロック対（ＲＢ  ｐａｉｒ）で割り当てられる。リソースブロック対に属するリソースブロックは、第１のスロットと第２のスロットの各々で互いに異なる副搬送波を占める。ＰＵＣＣＨに割り当てられるリソースブロック対に属するリソースブロックが占める周波数は、スロット境界（ｓｌｏｔｂ  ｏｕｎｄａｒｙ）を基準に変更される。これをＰＵＣＣＨに割り当てられるＲＢ対がスロット境界で周波数がホッピングされた（ｆｒｅｑｕｅｎｃｙ−ｈｏｐｐｅｄ）という。端末がアップリンク制御情報を時間によって互いに異なる副搬送波を介して送信することによって、周波数ダイバーシティ利得を得ることができる。ｍは、サブフレーム内でＰＵＣＣＨに割り当てられたリソースブロック対の論理的な周波数領域位置を示す位置インデックスである。
【００４８】
ＰＵＣＣＨ上に送信されるアップリンク制御情報には、ＨＡＲＱ（Ｈｙｂｒｉｄ  Ａｕｔｏｍａｔｉｃ  Ｒｅｐｅａｔ  ｒｅＱｕｅｓｔ）ＡＣＫ（Ａｃｋｎｏｗｌｅｄｇｅｍｅｎｔ）／ＮＡＣＫ（Ｎｏｎ−ａｃｋｎｏｗｌｅｄｇｅｍｅｎｔ）、ダウンリンクチャネル状態を示すＣＱＩ（Ｃｈａｎｎｅｌ  Ｑｕａｌｉｔｙ  Ｉｎｄｉｃａｔｏｒ）、アップリンク無線リソース割当要求であるＳＲ（ＳｃｈｅｄｕｌｉｎｇＲｅｑｕｅｓｔ）などがある。
【００４９】
ＰＵＳＣＨは、トランスポートチャネル（ｔｒａｎｓｐｏｒｔ  ｃｈａｎｎｅｌ）であるＵＬ−ＳＣＨ（Ｕｐｌｉｎｋ  Ｓｈａｒｅｄ  Ｃｈａｎｎｅｌ）にマッピングされる。ＰＵＳＣＨ上に送信されるアップリンクデータは、ＴＴＩ中に送信されるＵＬ−ＳＣＨのためのデータブロックであるトランスポートブロック（ｔｒａｎｓｐｏｒｔ  ｂｌｏｃｋ）である。前記トランスポートブロックはユーザ情報である。又は、アップリンクデータは多重化された（ｍｕｌｔｉｐｌｅｘｅｄ）データである。多重化されたデータは、ＵＬ−ＳＣＨのためのトランスポートブロックと制御情報が多重化されたものである。例えば、データに多重化される制御情報には、ＣＱＩ、ＰＭＩ（Ｐｒｅｃｏｄｉｎｇ  Ｍａｔｒｉｘ  Ｉｎｄｉｃａｔｏｒ）、ＨＡＲＱ、ＲＩ（Ｒａｎｋ  Ｉｎｄｉｃａｔｏｒ）などがある。又は、アップリンクデータは制御情報のみで構成されることもできる。
【００５０】
参照信号は、一般的にシーケンスで送信される。参照信号シーケンスは、特別な制限無しに任意のシーケンスが使われることができる。参照信号シーケンスは、ＰＳＫ（Ｐｈａｓｅ  Ｓｈｉｆｔ  Ｋｅｙｉｎｇ）ベースのコンピュータを介して生成されたシーケンス（ＰＳＫ−ｂａｓｅｄ  ｃｏｍｐｕｔｅｒ  ｇｅｎｅｒａｔｅｄ  ｓｅｑｕｅｎｃｅ）を使用することができる。ＰＳＫの例には、ＢＰＳＫ（Ｂｉｎａｒｙ  Ｐｈａｓｅ  Ｓｈｉｆｔ  Ｋｅｙｉｎｇ）、ＱＰＳＫ（Ｑｕａｄｒａｔｕｒｅ  Ｐｈａｓｅ  Ｓｈｉｆｔ  Ｋｅｙｉｎｇ）などがある。又は、参照信号シーケンスは、ＣＡＺＡＣ（Ｃｏｎｓｔａｎｔ  Ａｍｐｌｉｔｕｄｅ  Ｚｅｒｏ  Ａｕｔｏ−Ｃｏｒｒｅｌａｔｉｏｎ）シーケンスを使用することができる。ＣＡＺＡＣシーケンスの例には、ＺＣ（Ｚａｄｏｆｆ−Ｃｈｕ）ベースのシーケンス（ＺＣ−ｂａｓｅｄ  ｓｅｑｕｅｎｃｅ）、循環拡張（ｃｙｃｌｉｃ  ｅｘｔｅｎｓｉｏｎ）されたＺＣシーケンス（ＺＣ  ｓｅｑｕｅｎｃｅ  ｗｉｔｈ  ｃｙｃｌｉｃ  ｅｘｔｅｎｓｉｏｎ）、切断（ｔｒｕｎｃａｔｉｏｎ）ＺＣシーケンス（ＺＣ  ｓｅｑｕｅｎｃｅ  ｗｉｔｈ  ｔｒｕｎｃａｔｉｏｎ）などがある。又は、参照信号シーケンスは、ＰＮ（ｐｓｅｕｄｏ−ｒａｎｄｏｍ）シーケンスを使用することができる。ＰＮシーケンスの例には、ｍ−シーケンス、コンピュータを介して生成されたシーケンス、ゴールド（Ｇｏｌｄ）シーケンス、カサミ（Ｋａｓａｍｉ）シーケンスなどがある。また、参照信号シーケンスは、循環シフトされたシーケンス（ｃｙｃｌｉｃａｌｌｙ  ｓｈｉｆｔｅｄ  ｓｅｑｕｅｎｃｅ）を用いることができる。
【００５１】
参照信号は、セル特定参照信号（ＣＲＳ；ｃｅｌｌ−ｓｐｅｃｉｆｉｃ  ＲＳ）、ＭＢＳＦＮ参照信号、端末特定参照信号（ＵＥ−ｓｐｅｃｉｆｉｃＲＳ）、及びポジショニング参照信号（ＰＲＳ；Ｐｏｓｉｔｉｏｎｉｎｇ  ＲＳ）に区分されることができる。ＣＲＳは、セル内の全ての端末に送信される参照信号であり、チャネル推定に使われる。ＭＢＳＦＮ参照信号は、ＭＢＳＦＮ送信のために割り当てられたサブフレームで送信されることができる。端末特定参照信号は、セル内の特定端末又は特定端末グループが受信する参照信号であり、専用参照信号（ＤＲＳ；Ｄｅｄｉｃａｔｅｄ  ＲＳ）と呼ばれることができる。ＤＲＳは、特定端末又は特定端末グループのデータ復調に主に使われる。
【００５２】
まず、ＣＲＳに対して説明する。
【００５３】
図８乃至図１０は、ＣＲＳ構造の一例である。図８は基地局が一つのアンテナを使用する場合、図９は基地局が２個のアンテナを使用する場合、図１０は基地局が４個のアンテナを使用する場合のＣＲＳ構造の一例を示す。これは３ＧＰＰ  ＴＳ  ３６．２１１  Ｖ８．２．０（２００８−０３）の６．１０．１節を参照することができる。また、前記ＣＲＳ構造は、ＬＴＥ−Ａシステムの特徴をサポートするために使われることもできる。例えば、協調多地点（ＣｏＭＰ；Ｃｏｏｒｄｉｎａｔｅｄ  Ｍｕｌｔｉ−Ｐｏｉｎｔ）送受信技法又は空間多重化（ｓｐａｔｉａｌ  ｍｕｌｔｉｐｌｅｘｉｎｇ）などの特徴をサポートするために使われることができる。また、ＣＲＳは、チャネル品質測定、ＣＰ検出、及び時間／周波数同期化などの用途として使われることができる。
【００５４】
図８乃至図１０を参照すると、基地局が複数のアンテナを使用する多重アンテナ送信の場合、アンテナ毎に一つのリソースグリッドがある。‘Ｒ０’は第１のアンテナに対する参照信号、‘Ｒ１’は第２のアンテナに対する参照信号、‘Ｒ２’は第３のアンテナに対する参照信号、‘Ｒ３’は第４のアンテナに対する参照信号を示す。Ｒ０乃至Ｒ３のサブフレーム内の位置は互いに重複されない。ｌはスロット内のＯＦＤＭシンボルの位置であり、ノーマルＣＰにおけるｌは０〜６の値を有する。一つのＯＦＤＭシンボルで各アンテナに対する参照信号は６副搬送波間隔に位置する。サブフレーム内のＲ０の数とＲ１の数は同じであり、Ｒ２の数とＲ３の数は同じである。サブフレーム内のＲ２、Ｒ３の数はＲ０、Ｒ１の数より少ない。一アンテナの参照信号に使われたリソース要素は他のアンテナの参照信号に使われない。アンテナ間干渉を与えないためである。
【００５５】
ＣＲＳはストリームの個数に関係無しに常にアンテナの個数ほど送信される。ＣＲＳはアンテナ毎に独立的な参照信号を有する。ＣＲＳのサブフレーム内の周波数領域の位置及び時間領域の位置は端末に関係無しに決められる。ＣＲＳにかけられるＣＲＳシーケンスも端末に関係無しに生成される。従って、セル内の全ての端末はＣＲＳを受信することができる。ただし、ＣＲＳのサブフレーム内の位置及びＣＲＳシーケンスはセルＩＤによって決められることができる。ＣＲＳのサブフレーム内の時間領域の位置は、アンテナの番号、リソースブロック内のＯＦＤＭシンボルの個数によって決められることができる。ＣＲＳのサブフレーム内の周波数領域の位置は、アンテナの番号、セルＩＤ、ＯＦＤＭシンボルインデックス（ｌ）、無線フレーム内のスロット番号などによって決められることができる。
【００５６】
ＣＲＳシーケンスは、一つのサブフレーム内のＯＦＤＭシンボル単位に適用されることができる。ＣＲＳシーケンスは、セルＩＤ、一つの無線フレーム内のスロット番号、スロット内のＯＦＤＭシンボルインデックス、ＣＰの種類などによって変わることができる。一つのＯＦＤＭシンボル上で各アンテナ別参照信号副搬送波の個数は２個である。サブフレームが周波数領域でＮＲＢ個のリソースブロックを含むとする時、一つのＯＦＤＭシンボル上で各アンテナ別参照信号副搬送波の個数は２×ＮＲＢである。従って、ＣＲＳシーケンスの長さは２×ＮＲＢとなる。
【００５７】
数式２は、ＣＲＳシーケンスｒ（ｍ）の一例を示す。
【００５８】
【化６】
0005475139.tif 000007
ここで、ｍは０，１，．．．，２ＮＲＢｍａｘ−１である。２ＮＲＢｍａｘは最大帯域幅に該当するリソースブロックの個数である。例えば、３ＧＰＰ  ＬＴＥシステムにおける２ＮＲＢｍａｘは１１０である。ｃ（ｉ）は、ＰＮシーケンスであり、疑似任意シーケンスであり、長さ−３１のゴールド（Ｇｏｌｄ）シーケンスにより定義されることができる。数式３は、ゴールドシーケンスｃ（ｎ）の一例を示す。
【００５９】
【化７】
0005475139.tif 000008
ここで、Ｎｃ＝１６００であり、ｘ１（ｉ）は第１のｍ−シーケンスであり、ｘ２（ｉ）は第２のｍ−シーケンスである。例えば、第１のｍ−シーケンス又は第２のｍ−シーケンスは、ＯＦＤＭシンボル毎にセルＩＤ、一つの無線フレーム内のスロット番号、スロット内のＯＦＤＭシンボルインデックス、ＣＰの種類などによって初期化（ｉｎｉｔｉａｌｉｚａｔｉｏｎ）されることができる。
【００６０】
２ＮＲＢｍａｘより小さい帯域幅を有するシステムの場合、２×２ＮＲＢｍａｘ長さに生成された参照信号シーケンスから２×ＮＲＢ長さに一定部分のみを選択して使用することができる。
【００６１】
一方、ＣＲＳは、３ＧＰＰ  ＬＴＥ−Ａでチャネル状態情報（ＣＳＩ；Ｃｈａｎｎｅｌ  Ｓｔａｔｅ  Ｉｎｆｏｒｍａｔｉｏｎ）の推定のために使われることができる。ＣＳＩの推定のための参照信号をＣＳＩ−ＲＳ（ＣＳＩ  Ｒｅｆｅｒｅｎｃｅ  Ｓｉｇｎａｌ）ということができる。ＣＳＩ−ＲＳは、周波数領域又は時間領域で比較的稀に（ｓｐａｒｓｅ）配置され、一般サブフレーム又はＭＢＳＦＮ（Ｍｕｌｔｉｍｅｄｉａ  Ｂｒｏａｄｃａｓｔ  ａｎｄ  ｍｕｌｔｉｃａｓｔ  Ｓｉｎｇｌｅ  Ｆｒｅｑｕｅｎｃｙ  Ｎｅｔｗｏｒｋ）サブフレームのデータ領域では省略（ｐｕｎｃｔｕｒｅｄ）されることができる。ＣＳＩの推定を介して、必要な場合、チャネル品質指示子（ＣＱＩ；Ｃｈａｎｎｅｌ  Ｑｕａｌｉｔｙ  Ｉｎｄｉｃａｔｏｒ）、プリコーディング行列指示子（ＰＭＩ；Ｐｒｅｃｏｄｉｎｇ  Ｍａｔｒｉｘ  Ｉｎｄｉｃａｔｏｒ）、及びランク指示子（ＲＩ；Ｒａｎｋ  Ｉｎｄｉｃａｔｏｒ）などが端末から報告されることができる。
【００６２】
次に、ＤＲＳに対して説明する。
【００６３】
図１１及び図１２は、ＤＲＳ構造の一例である。図１１は、ノーマルＣＰにおけるＤＲＳ構造の一例を示す。ノーマルＣＰにおけるサブフレームは、１４ＯＦＤＭシンボルを含む。‘Ｒ５’はＤＲＳを送信するアンテナの参照信号を示す。参照シンボルを含む一つのＯＦＤＭシンボル上で参照副搬送波は４副搬送波間隔に位置する。図１２は、拡張ＣＰにおけるＤＲＳ構造の例を示す。拡張ＣＰにおけるサブフレームは、１２ＯＦＤＭシンボルを含む。一つのＯＦＤＭシンボル上で参照信号副搬送波は３副搬送波間隔に位置する。これは３ＧＰＰ  ＴＳ  ３６．２１１  Ｖ８．２．０（２００８−０３）の６．１０．３節を参照することができる。
【００６４】
ＤＲＳのサブフレーム内の周波数領域の位置及び時間領域の位置は、ＰＤＳＣＨ送信のために割り当てられたリソースブロックによって決められることができる。ＤＲＳシーケンスは端末ＩＤによって決められることができ、前記端末ＩＤに該当する特定端末のみがＤＲＳを受信することができる。
【００６５】
ＤＲＳシーケンスも前記数式２及び３により得られることができる。ただし、数式２のｍはＮＲＢＰＤＳＣＨにより決められる。ＮＲＢＰＤＳＣＨはＰＤＳＣＨ送信に対応する帯域幅に該当するリソースブロックの個数である。ＮＲＢＰＤＳＣＨによってＤＲＳシーケンスの長さが変わることができる。即ち、端末が割当を受けるデータ量に応じてＤＲＳシーケンスの長さが変わることができる。数式２の第１のｍ−シーケンス（ｘ１（ｉ））又は第２のｍ−シーケンス（ｘ２（ｉ））は、サブフレーム毎にセルＩＤ、一つの無線フレーム内のサブフレームの位置、端末ＩＤなどによって初期化されることができる。
【００６６】
ＤＲＳシーケンスは、サブフレーム毎に生成され、ＯＦＤＭシンボル単位に適用されることができる。一つのサブフレーム内で、リソースブロック当たり参照信号副搬送波の個数は１２個であり、リソースブロックの個数はＮＲＢＰＤＳＣＨと仮定する。全体参照信号副搬送波の個数は１２×ＮＲＢＰＤＳＣＨである。従って、ＤＲＳシーケンスの長さは１２×ＮＲＢＰＤＳＣＨとなる。数式２を用いてＤＲＳシーケンスを生成する場合、ｍは０，１，．．．，１２ＮＲＢＰＤＳＣＨ−１である。ＤＲＳシーケンスは順に参照シンボルにマッピングされる。まず、ＤＲＳシーケンスは一つのＯＦＤＭシンボルで副搬送波インデックスの昇順に参照シンボルにマッピングされた後、次のＯＦＤＭシンボルにマッピングされる。
【００６７】
ＬＴＥ−ＡシステムにおけるＤＲＳは、ＰＤＳＣＨ復調のためのＤＭＲＳ（Ｄｅｍｏｄｕｌａｔｉｏｎ  Ｒｅｆｅｒｅｎｃｅ  Ｓｉｇｎａｌ）として使われることができる。即ち、ＤＭＲＳは、ビーム形成（ｂｅａｍｆｏｒｍｉｎｇ）のために使われるＬＴＥ  Ｒｅｌ−８システムのＤＲＳを複数のレイヤに拡張した概念である。ＰＤＳＣＨとＤＭＲＳは同じプリコーディング動作をすることができる。ＤＭＲＳは、基地局によりスケジューリングされたリソースブロック又は階層（ｌａｙｅｒ）でのみ送信されることができ、各階層間には互いに直交性（ｏｒｔｈｏｇｏｎａｌｉｔｙ）を維持する。
【００６８】
また、ＣＲＳはＤＲＳと同時に使われることができる。例えば、サブフレーム内の第１のスロットの３ＯＦＤＭシンボル（ｌ＝０，１，２）を介して制御情報が送信されると仮定する。ＯＦＤＭシンボルインデックスが０、１、２（ｌ＝０，１，２）であるＯＦＤＭシンボルではＣＲＳを使用し、３個ＯＦＤＭシンボルを除いた残りのＯＦＤＭシンボルではＤＲＳを使用することができる。この時、セル別ダウンリンク参照信号に予め定義されたシーケンスをかけて送信することによって、受信機で隣接セルから受信される参照信号の干渉を減少させ、チャネル推定の性能を向上させることができる。前記予め定義されたシーケンスは、ＰＮシーケンス、ｍ−シーケンス、ウォルシュアダマール（Ｗａｌｓｈ  ｈａｄａｍａｒｄ）シーケンス、ＺＣシーケンス、ＧＣＬシーケンス、ＣＡＺＡＣシーケンスなどのうちいずれか一つである。前記予め定義されたシーケンスは、一つのサブフレーム内のＯＦＤＭシンボル単位に適用が可能であり、また、セルＩＤ、サブフレーム番号、ＯＦＤＭシンボルの位置、端末ＩＤなどによって他のシーケンスが適用されることができる。
【００６９】
中継局を含む無線通信システムで中継領域（ｒｅｌａｙ  ｚｏｎｅ）が定義されることができる。中継領域は、基地局が送信するダウンリンクサブフレーム内に中継局のための制御チャネル（以下、Ｒ−ＰＤＣＣＨという）又は中継局のためのデータチャネル（以下、Ｒ−ＰＤＳＣＨという）の送信が行われる区間を意味する。即ち、ダウンリンクサブフレーム内にバックホール送信が行われる区間である。
【００７０】
図１３は、中継領域が割り当てられたダウンリンクサブフレームの一例である。
【００７１】
図１３−（ａ）は、基地局が中継局又は端末に送信するダウンリンクバックホールサブフレームの一例を示す。前方部の３個のＯＦＤＭシンボルは、基地局が送信するＰＤＣＣＨが占める領域である。ダウンリンクバックホールサブフレームで中継領域は４番目のＯＦＤＭシンボルから始め、Ｒ−ＰＤＣＣＨ又はＲ−ＰＤＳＣＨが送信される中継領域は、マクロ端末（ｍａｃｒｏ  ＵＥ）のためのＰＤＳＣＨとＦＤＭ（Ｆｒｅｑｕｅｎｃｙ  Ｄｉｖｉｓｉｏｎ  Ｍｕｌｔｉｐｌｅｘｉｎｇ）方式、又はＦＤＭ方式とＴＤＭ（Ｔｉｍｅ  Ｄｉｖｉｓｉｏｎ  Ｍｕｌｔｉｐｌｅｘｉｎｇ）方式を結合した方式に多重化されることができる。中継領域の開始地点は、中継局が送信するＲＮ  ＰＤＣＣＨの大きさにより決定されることができる。図１３−（ｂ）は、中継局が端末に送信するダウンリンクアクセスサブフレームの一例を示す。中継局が端末に送信するＲＮ  ＰＤＣＣＨが前方部の２個のＯＦＤＭシンボルを占める時、基地局はダウンリンクバックホールサブフレームに中継領域の開始地点を４番目のＯＦＤＭシンボルに指定することができる。中継領域の割当は、セル特定（ｃｅｌｌ−ｓｐｅｃｉｆｉｃ）方式に又は中継局特定（ＲＮ−ｓｐｅｃｉｆｉｃ）方式に割り当てられることができ、動的に（ｄｙｎａｍｉｃａｌｌｙ）又は半永久的（ｓｅｍｉ−ｐｅｒｓｉｓｔｅｎｔｌｙ）に割り当てられることができる。一方、中継局が前方部の２個のＯＦＤＭシンボルを介してＲＮ  ＰＤＣＣＨを送信し、その次に端末からアップリンク制御信号又はアップリンクデータを受信する時、送信から受信に転換するための時間が必要である。従って、３番目のＯＦＤＭシンボルは、転換ギャップ（ｔｒａｎｓｉｔｉｏｎ  ｇａｐ）として使われることができる。
【００７２】
図１４は、中継領域が割り当てられたリソースブロックの一例である。図１４−（ａ）及び図１４−（ｂ）で、中継領域は、４番目のＯＦＤＭシンボルから１３番目のＯＦＤＭシンボルまで割り当てられる。図１４−（ａ）で、４番目のＯＦＤＭシンボル乃至６番目のＯＦＤＭシンボルはＲ−ＰＤＣＣＨが送信される領域であり、７番目のＯＦＤＭシンボル乃至１３番目のＯＦＤＭシンボルはＲ−ＰＤＳＣＨが送信される領域である。図１４−（ｂ）で、８番目のＯＦＤＭシンボル乃至１０番目のＯＦＤＭシンボル、即ち、一つのサブフレームの第２のスロットの前方部の３個のＯＦＤＭシンボルはＲ−ＰＤＣＣＨが送信される領域であり、４番目のＯＦＤＭシンボル乃至７番目のＯＦＤＭシンボル、及び１１番目のＯＦＤＭシンボル乃至１３番目のＯＦＤＭシンボルは、Ｒ−ＰＤＳＣＨ又はマクロＬＴＥ−Ａ端末のためのＰＤＳＣＨが送信される領域である。図１４を参照すると、Ｒ−ＰＤＣＣＨは、基地局が送信するＰＤＣＣＨ領域に続いて割り当てられたり、或いはサブフレームの第２のスロットに合わせて割り当てられることができる。一方、図１４で、Ｒ０乃至Ｒ３は、ＬＴＥ  Ｒｅｌ−８のアンテナポート０乃至３に対する参照信号が割り当てられるリソース要素を意味する。
【００７３】
以下、実施例を介して提案された参照信号送信方法を説明する。
【００７４】
ＬＴＥ−Ａシステムに中継局が導入されることができ、ＬＴＥ−Ａシステムは最大８個の送信アンテナをサポートすることができる。中継局は、基地局が送信した参照信号を受信し、チャネル推定又はデータ復調を実行することができる。この時、中継局は、参照信号としてＬＴＥ  Ｒｅｌ−８のＣＲＳ、ＬＴＥ−ＡのＣＳＩ−ＲＳ又はＤＭＲＳ（Ｄｅｍｏｄｕｌａｔｉｏｎ  Ｒｅｆｅｒｅｎｃｅ  Ｓｉｇｎａｌ）、又は新たなＣＲＳ（ＬＴＥ  Ｒｅｌ−８に基づいてＬＴＥ−Ａで使用するＤＲＳであってもよい）を用いることができる。一方、中継領域がＲ−ＰＤＣＣＨ又はＲ−ＰＤＳＣＨの送信のためにサブフレーム内に割り当てられるため、中継局のための参照信号は、中継領域内に割り当てられる必要があり、これによって、既存とは異なる新たな参照信号パターンが要求される。以下の実施例で、Ｒ０乃至Ｒ３はＬＴＥ  ｒｅｌ−８でアンテナポート０乃至３のＣＲＳであり、Ｎ０乃至Ｎ７はＬＴＥ−Ａでレイヤ１乃至８に対するＲ−ＰＤＣＣＨの復調のための新たな参照信号（以下、Ｒ−ＰＤＣＣＨ参照信号という）である。また、横軸は時間領域又はＯＦＤＭシンボルを示し、縦軸は周波数領域又は副搬送波を示す。
【００７５】
基地局は、中継局がＲ−ＰＤＣＣＨ又はＲ−ＰＤＳＣＨの復調のためにＬＴＥ  Ｒｅｌ−８のＣＲＳを用いてデコーディングしなければならないか、或いはＬＴＥ−ＡのＤＭＲＳを用いてデコーディングしなければならないかを中継局に知らせることができる。この時、該当情報は、上位階層（ｈｉｇｈｅｒ  ｌａｙｅｒ）を介して送信されたり、或いはＰＤＣＣＨ又はブロードキャスティングなどを用いてＬ１／Ｌ２シグナリングされることができる。又は、基地局は、中継局がＲ−ＰＤＣＣＨ又はＲ−ＰＤＳＣＨの復調のためにＬＴＥ  Ｒｅｌ−８のＣＲＳを用いてデコーディングしなければならないか、或いは新たに定義したＣＲＳを用いてデコーディングしなければならないかを中継局に知らせることができる。この時、該当情報は、上位階層（ｈｉｇｈｅｒ  ｌａｙｅｒ）を介して送信されたり、或いはＰＤＣＣＨ又はブロードキャスティングなどを用いてＬ１／Ｌ２シグナリングされることができる。中継局がＲ−ＰＤＣＣＨの復調のために使用する参照信号の種類は、サブフレームタイプによって変化したり、動的に変化しない。また、前記複数の参照信号は、Ｒ−ＰＤＣＣＨ領域にマッピングされることができる。
【００７６】
図１５は、提案された参照信号送信方法による参照信号パターンの一例である。
【００７７】
ＬＴＥ  ｒｅｌ−８のＣＲＳ以外にＲ−ＰＤＣＣＨ参照信号が追加に割り当てられることができる。図１５を参照すると、Ｒ−ＰＤＣＣＨ参照信号は、Ｒ−ＰＤＣＣＨ領域の１番目のＯＦＤＭシンボルに割り当てられる。これによって、Ｒ−ＰＤＣＣＨ参照信号は、一つのリソースブロック内で一つのＯＦＤＭシンボル、即ち、１２個のリソース要素を占める。各レイヤに対するＲ−ＰＤＣＣＨ参照信号は、直交シーケンス（ｏｒｔｈｏｇｏｎａｌ  ｓｅｑｕｅｎｃｅ）に基づいてＣＤＭ（Ｃｏｄｅ  Ｄｉｖｉｓｉｏｎ  Ｍｕｌｔｉｐｌｅｘｉｎｇ）方式に多重化されることができる。直交シーケンスの例として、長さが１２であるＺＣ（Ｚａｄｏｆｆ−Ｃｈｕ）シーケンスが使われることができる。各レイヤに対して同じルートインデックス（ｒｏｏｔ  ｉｎｄｅｘ）に互いに異なる循環シフト（ｃｙｃｌｉｃ  ｓｈｉｆｔ）を使用することによって、各レイヤ間の直交性（ｏｒｔｈｏｇｏｎａｌｉｔｙ）を保障し、効果的にチャネルを推定することができる。また、Ｒ−ＰＤＣＣＨを周波数領域で複数のＲＢに連続的に割り当てる場合、直交シーケンスとして長さが１２の倍数であるＺＣシーケンスを使用することができる。即ち、ＺＣシーケンスの長さは２４、３６などである。
【００７８】
一方、図１５でＲ−ＰＤＣＣＨ参照信号がＲ−ＰＤＣＣＨ領域の１番目のＯＦＤＭシンボルに割り当てられることを仮定したが、これに限定されるものではない。Ｒ−ＰＤＣＣＨが占めるＯＦＤＭシンボルの数が変化することができるため、Ｒ−ＰＤＣＣＨ参照信号は、Ｒ−ＰＤＣＣＨ領域の任意のＯＦＤＭシンボルに割り当てられることができる。また、図１５でＲ−ＰＤＣＣＨ領域が３個のＯＦＤＭシンボルを占める場合を仮定したが、提案された参照信号パターンは、Ｒ−ＰＤＣＣＨ領域が２個以上のＯＦＤＭシンボルを占める場合に適用されることができる。また、Ｒ−ＰＤＣＣＨ参照信号をＬＴＥ  ｒｅｌ−８のＣＲＳと組合せて使用することができる。例えば、ｒａｎｋ−２送信までは既存のＣＲＳをＲ−ＰＤＣＣＨ参照信号として使用し、その以上のランクの送信に対しては図１５の参照信号パターンを用いてＲ−ＰＤＣＣＨ参照信号をマッピングすることができる。
【００７９】
図１６は、提案された参照信号送信方法による参照信号パターンの一例である。図１６−（ａ）はｒａｎｋ−４送信の場合であり、図１６−（ｂ）はｒａｎｋ−８送信の場合である。Ｒ−ＰＤＣＣＨ参照信号は、Ｒ−ＰＤＣＣＨ領域の１番目の及び３番目のＯＦＤＭシンボルに割り当てられる。図１６−（ａ）で、２個のＯＦＤＭシンボルにわたって割り当てられた第１のレイヤ及び第２のレイヤに対するＲ−ＰＤＣＣＨ参照信号（Ｎ０，Ｎ１）が長さ２である直交シーケンスに基づいてＣＤＭ方式に多重化され、第３のレイヤ及び第４のレイヤに対するＲ−ＰＤＣＣＨ参照信号（Ｎ２，Ｎ３）も長さ２である直交シーケンスに基づいてＣＤＭ方式に多重化される。図１６−（ｂ）では２個のＯＦＤＭシンボルにわたって割り当てられた第１のレイヤ及び第２のレイヤに対するＲ−ＰＤＣＣＨ参照信号（Ｎ０，Ｎ１）が長さ２である直交シーケンスに基づいてＣＤＭ方式に多重化され、第１のレイヤ、第２のレイヤ、第５のレイヤ、及び第６のレイヤに対するＲ−ＰＤＣＣＨ参照信号（Ｎ０，Ｎ１，Ｎ４，Ｎ５）が長さ４である直交シーケンスに基づいてＣＤＭ方式に多重化される。図１６でＲ−ＰＤＣＣＨ領域が３個のＯＦＤＭシンボルを占める場合を仮定したが、提案された参照信号パターンは、Ｒ−ＰＤＣＣＨ領域が３個以上のＯＦＤＭシンボルを占める場合に適用されることができる。
【００８０】
前記実施例では各レイヤに対するＲ−ＰＤＣＣＨ参照信号がリソースブロック内で特定周波数位置に割り当てられたり、又は特定周波数オフセット（ｆｒｅｑｕｅｎｃｙ  ｏｆｆｓｅｔ）によって割り当てられることを仮定するが、リソースブロック内でＲ−ＰＤＣＣＨ参照信号が割り当てられる位置はこれに制限されるものではない。例えば、図１６−（ｂ）で第５のレイヤ及び第６のレイヤに対するＲ−ＰＤＣＣＨ参照信号（Ｎ４，Ｎ５）は、リソースブロックで２番目の副搬送波に割り当てられるが（即ち、周波数オフセットが１）、周波数オフセットを０に割り当て、リソースブロックで１番目の副搬送波に割り当てられることもできる。また、リソースブロック内でＲ−ＰＤＣＣＨ参照信号は、ＯＦＤＭシンボル別に周波数オフセットを異なるようにして割り当てられることができる。
【００８１】
一方、前記のように、Ｒ−ＰＤＣＣＨ領域がサブフレーム内のリソース要素にマッピングされる場合、参照信号の最大オーバーヘッド（ｏｖｅｒｈｅａｄ）が考慮される必要がある。即ち、ＬＴＥ−ＡのＤＭＲＳがバックホールサブフレームに割り当てられる場合、ＬＴＥ−ＡのＤＭＲＳに割り当てられることができるリソース要素の最大個数である２４個に基づいて参照信号パターンが決定されることができる。レイヤの数によって一つのサブフレームでＬＴＥ−ＡのＤＭＲＳとして使用するリソース要素の個数が変わるため、Ｒ−ＰＤＣＣＨ領域として使われるリソース要素の個数も変わることができる。例えば、レイヤの個数が２個である時、ＤＭＲＳとして使われるリソース要素の個数は１２個であり、レイヤの個数が４個である時、ＤＭＲＳとして使われるリソース要素の個数は２４個である。これによって、Ｒ−ＰＤＣＣＨ領域として使われるリソース要素の個数が変わる。従って、参照信号パターンの決定時、レイヤの個数と関係無しにＤＭＲＳの用途で使われることができる最大リソース要素の個数に基づいて参照信号パターンが決定されることができ、これによって、Ｒ−ＰＤＣＣＨがリソース領域にマッピングされることができる。
【００８２】
図１７は、提案された参照信号送信方法の一実施例である。
【００８３】
段階Ｓ１００で、基地局は複数のレイヤの各々に対して中継局のための制御チャネルであるＲ−ＰＤＣＣＨの復調のための複数のＲ−ＰＤＣＣＨ参照信号を生成する。段階Ｓ１１０で、基地局は前記複数のＲ−ＰＤＣＣＨ参照信号を予め指定された参照信号パターンによって少なくとも一つのリソースブロック内の中継領域に含まれるＲ−ＰＤＣＣＨ領域にマッピングする。段階Ｓ１２０で、基地局は前記少なくとも一つのリソースブロックを複数のアンテナポートを介して送信する。
【００８４】
図１８は、提案された制御チャネル復調方法の一実施例である。
【００８５】
段階Ｓ２００で、中継局はダウンリンクサブフレーム内の中継領域に含まれるＲ−ＰＤＣＣＨ領域を介して中継局のための制御チャネルであるＲ−ＰＤＣＣＨのための複数のＲ−ＰＤＣＣＨ参照信号を受信する。段階Ｓ２１０で、中継局は前記複数のＲ−ＰＤＣＣＨ参照信号を処理して前記Ｒ−ＰＤＣＣＨの復調を実行する。
【００８６】
ＬＴＥ−ＡのＣＳＩ−ＲＳをＲ−ＰＤＣＣＨの復調のためのＲ−ＰＤＣＣＨ参照信号として使用することができる。ＣＳＩ−ＲＳはスケジューリングしようとする帯域幅に分散される。ＬＴＥ−Ａで基地局が４個又は８個のアンテナ送信モードを使用する場合、中継局に対してはこれより少ない個数のアンテナを用いて信号の送信を実行することができる。これによって、８個のアンテナ送信モードが使われる時、８個のアンテナポートに対するＣＳＩ−ＲＳが送信され、Ｒ−ＰＤＣＣＨ参照信号としてＬＴＥ−ＡのＣＳＩ−ＲＳを使用することができる。ＣＳＩ−ＲＳが複数のサブフレームにわたって存在し、Ｒ−ＰＤＣＣＨが前記複数のサブフレームのうち一つのサブフレームにのみ割り当てられる場合、既存のＬＴＥ  ｒｅｌ−８のＣＲＳとＬＴＥ−ＡのＣＳＩ−ＲＳの両方ともをＲ−ＰＤＣＣＨ参照信号として用いることもできる。
【００８７】
提案された参照信号送信方法は、一般サブフレーム以外にＭＢＳＦＮサブフレームにも同様に適用されることができる。即ち、バックホール送信がＭＢＳＦＮサブフレームで実行される時にも、提案された参照信号送信方法による参照信号パターンがそのまま適用されることができる。ただし、ＭＢＳＦＮサブフレームではＬＴＥ  ｒｅｌ−８のＣＲＳが送信されないため、ＬＴＥ  ｒｅｌ−８のＣＲＳがＲ−ＰＤＣＣＨ参照信号として使われる場合、該当ＣＲＳが割り当てられるリソース要素が、そのままＲ−ＰＤＣＣＨ参照信号が割り当てられるリソース要素として使われることができる。即ち、一般サブフレームでＣＲＳが割り当てられるリソース要素にＭＢＳＦＮサブフレームでＲ−ＰＤＣＣＨ参照信号が割り当てられることができる。これによって、ＣＲＳが送信される一般サブフレームやＣＲＳが送信されないＭＢＳＦＮサブフレームで参照信号パターンの変化無しに同じ参照信号パターンが適用されることができる。この時、Ｒ−ＰＤＣＣＨ参照信号は、基地局のダウンリンクバックホール送信モードによって割り当てられる。例えば、ｒａｎｋ−２ダウンリンクバックホール送信モードの場合、第１のレイヤ及び第２のレイヤに対するＲ−ＰＤＣＣＨ参照信号のみが割り当てられることができる。また、Ｒ−ＰＤＣＣＨ参照信号がＲ−ＰＤＣＣＨ領域及びＲ−ＰＤＳＣＨ領域の両方ともに割り当てられ、Ｒ−ＰＤＣＣＨのレイヤの個数とＲ−ＰＤＳＣＨのレイヤの個数が異なる場合にはレイヤの個数が多い方に該当するほどＲ−ＰＤＣＣＨ参照信号を割り当て、Ｒ−ＰＤＣＣＨ及びＲ−ＰＤＳＣＨの復調を実行することができる。これによって、Ｒ−ＰＤＣＣＨ及びＲ−ＰＤＳＣＨに使用することができる無線リソースの量を一定に維持することができる。
【００８８】
又は、ＭＢＳＦＮサブフレームでＬＴＥ−ＡのＤＭＲＳがＲ−ＰＤＣＣＨ参照信号として使われることができる。この場合、ＬＴＥ−Ａの該当ＤＭＲＳが割り当てられるリソース要素が、そのままＲ−ＰＤＣＣＨ参照信号が割り当てられるリソース要素として使われることができる。即ち、一般サブフレームでＬＴＥ−ＡＤＭＲＳが割り当てられるリソース要素にＭＢＳＦＮサブフレームでＲ−ＰＤＣＣＨ参照信号が割り当てられることができる。これによって、ＤＭＲＳが送信される一般サブフレームやＤＭＲＳが送信されないＭＢＳＦＮサブフレームで参照信号パターンの変化無しに同じ参照信号パターンが適用されることができる。Ｒ−ＰＤＣＣＨ参照信号は、基地局のダウンリンクバックホール送信モードによって割り当てられる。例えば、ｒａｎｋ−２ダウンリンクバックホール送信モードの場合、第１のレイヤ及び第２のレイヤに対するＲ−ＰＤＣＣＨ参照信号のみが割り当てられることができる。また、Ｒ−ＰＤＣＣＨ参照信号がＲ−ＰＤＣＣＨ領域及びＲ−ＰＤＳＣＨ領域の両方ともに割り当てられ、Ｒ−ＰＤＣＣＨのレイヤの個数とＲ−ＰＤＳＣＨのレイヤの個数が異なる場合にはレイヤの個数が多い方に該当するほどＲ−ＰＤＣＣＨ参照信号を割り当て、Ｒ−ＰＤＣＣＨ及びＲ−ＰＤＳＣＨの復調を実行することができる。これによって、Ｒ−ＰＤＣＣＨ及びＲ−ＰＤＳＣＨに使用することができる無線リソースの量を一定に維持することができる。
【００８９】
ＭＢＳＦＮサブフレームでも同様に、基地局は、中継局がＲ−ＰＤＣＣＨ又はＲ−ＰＤＳＣＨの復調のためにＬＴＥ  Ｒｅｌ−８のＣＲＳを用いてデコーディングしなければならないか、或いはＬＴＥ−ＡのＤＭＲＳを用いてデコーディングしなければならないかを中継局に知らせることができる。この時、該当情報は、上位階層を介して送信されたり、或いはＰＤＣＣＨ又はブロードキャスティングなどを用いてＬ１／Ｌ２シグナリングされることができる。又は、基地局は、中継局がＲ−ＰＤＣＣＨ又はＲ−ＰＤＳＣＨの復調のためにＬＴＥ  Ｒｅｌ−８のＣＲＳを用いてデコーディングしなければならないか、或いは新たに定義したＣＲＳを用いてデコーディングしなければならないかを中継局に知らせることができる。この時、該当情報は、上位階層を介して送信されたり、或いはＰＤＣＣＨ又はブロードキャスティングなどを用いてＬ１／Ｌ２シグナリングされることができる。中継局がＲ−ＰＤＣＣＨの復調のために使用する参照信号の種類は、サブフレームタイプによって変化したり、動的に変化しない。また、前記複数の参照信号は、Ｒ−ＰＤＣＣＨ領域にマッピングされることができる。
【００９０】
図１５と図１６の実施例では提案された参照信号送信方法がサブフレームでＲ−ＰＤＣＣＨ領域とＲ−ＰＤＳＣＨ領域がＴＤＭ（Ｔｉｍｅ  Ｄｉｖｉｓｉｏｎ  Ｍｕｌｔｉｐｌｅｘｉｎｇ）方式に多重化される場合に適用されることを説明しているが、これに制限されるものではない。提案された参照信号送信方法は、サブフレームでＲ−ＰＤＣＣＨ領域とＲ−ＰＤＳＣＨ領域がＦＤＭ（Ｆｒｅｑｕｅｎｃｙ  Ｄｉｖｉｓｉｏｎ  Ｍｕｌｔｉｐｌｅｘｉｎｇ）方式に多重化される場合にも適用されることができる。即ち、Ｒ−ＰＤＣＣＨ領域が全体リソースブロック又は全体リソースブロック内で最後のＯＦＤＭシンボルがガードタイム（ｇｕａｒｄ  ｔｉｍｅ）で割り当てられる場合、該当ガードタイムを除いた残りのリソースブロックに割り当てられる時に提案された参照信号送信方法が適用されることができる。
【００９１】
一方、ＬＴＥ−ＡのＣＳＩ−ＲＳは、バックホールリンク送信に使われるダウンリンクサブフレームを避けて割り当てられることもできる。ＣＳＩ−ＲＳは、特に、Ｒ−ＰＤＣＣＨ領域を避けて割り当てられることができる。これはＣＳＩ−ＲＳがサブフレーム毎に送信されるか、或いは特定サブフレームでのみ送信されるかに関係なしにＲ−ＰＤＣＣＨ領域が占めるリソース要素の個数を常に一定に維持するためである。これによって、ＣＳＩ−ＲＳがＲ−ＰＤＳＣＨ領域に割り当てられることができ、この場合、ＣＳＩ−ＲＳが割り当てられたリソース要素ではＲ−ＰＤＳＣＨを介するデータの送信がパンクチャリング（ｐｕｎｃｔｕｒｉｎｇ）されることができる。Ｒ−ＰＤＣＣＨ領域とＲ−ＰＤＳＣＨ領域がＦＤＭ方式に多重化される場合には、該当サブフレームで送信されるＣＳＩ−ＲＳのうちＲ−ＰＤＣＣＨ領域に割り当てられたＣＳＩ−ＲＳがパンクチャリングされたり、又はＣＳＩ−ＲＳ送信に割り当てられるリソース要素で送信される制御情報がパンクチャリングされることもできる。
【００９２】
図１９は、本発明の実施例が具現される基地局及び中継局を示すブロック図である。
【００９３】
基地局８００は、プロセッサ（ｐｒｏｃｅｓｓｏｒ）８１０、メモリ（ｍｅｍｏｒｙ）８２０、及びＲＦ部（Ｒａｄｉｏ  Ｆｒｅｑｕｅｎｃｙ  ｕｎｉｔ）８３０を含む。プロセッサ８１０は、提案された機能、過程及び／又は方法を具現する。プロセッサ８１０は、複数のレイヤの各々に対して複数のＲ−ＰＤＣＣＨ参照信号を生成し、前記複数のＲ−ＰＤＣＣＨ参照信号を予め指定された参照信号パターンによって少なくとも一つのリソースブロック内の中継領域に含まれるＲ−ＰＤＣＣＨ領域にマッピングし、前記少なくとも一つのリソースブロックを複数のアンテナポートを介して送信する。図１５及び図１６の参照信号パターンによって前記複数のＲ−ＰＤＣＣＨ参照信号がマッピングされることができる。無線インターフェースプロトコルの階層は、プロセッサ８１０により具現されることができる。メモリ８２０は、プロセッサ８１０と連結され、プロセッサ８１０を駆動するための多様な情報を格納する。ＲＦ部８３０は、プロセッサ８１０と連結され、無線信号を送信及び／又は受信し、前記少なくとも一つのリソースブロックを中継局に送信する。
【００９４】
中継局９００は、プロセッサ９１０、メモリ９２０、及びＲＦ部９３０を含む。ＲＦ部９３０は、プロセッサ９１０と連結され、無線信号を送信及び／又は受信する。プロセッサ９１０は、提案された機能、過程及び／又は方法を具現する。プロセッサ９１０は、Ｒ−ＰＤＣＣＨ領域を介してＲ−ＰＤＣＣＨのための複数のＲ−ＰＤＣＣＨ参照信号を受信し、前記複数のＲ−ＰＤＣＣＨ参照信号を処理して前記Ｒ−ＰＤＣＣＨを復調する。無線インターフェースプロトコルの階層は、プロセッサ９１０により具現されることができる。メモリ９２０は、プロセッサ９１０と連結され、プロセッサ９１０を駆動するための多様な情報を格納する。
【００９５】
プロセッサ８１０、９１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット  、論理回路及び／又はデータ処理装置を含むことができる。メモリ８２０、９２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／又は他の格納装置を含むことができる。ＲＦ部８３０、９３０は、無線信号を処理するためのベースバンド回路を含むことができる。実施例がソフトウェアで具現される時、前述した技法は前述した機能を遂行するモジュール（過程、機能など）で具現されることができる。モジュールは、メモリ８２０、９２０に格納され、プロセッサ８１０、９１０により実行されることができる。メモリ８２０、９２０は、プロセッサ８１０、９１０の内部又は外部にあり、よく知られた多様な手段でプロセッサ８１０、９１０と連結されることができる。
【００９６】
前述した例示的なシステムで、方法は、一連の段階又はブロックで順序図に基づいて説明されているが、本発明は、段階の順序に限定されるものではなく、ある段階は前述と異なる段階と異なる順序に又は同時に発生することができる。また、当業者であれば、順序図に示す段階が排他的でなく、他の段階が含まれたり、或いは順序図の一つ又はその以上の段階が本発明の範囲に影響を及ぼさずに削除可能であることを理解することができる。
【００９７】
前述した実施例は、多様な態様の例示を含む。多様な態様を示すための全ての可能な組合せを記述することはできないが、該当技術分野の通常の知識を有する者は、他の組合せが可能であることを認識することができる。従って、本発明は、特許請求の範囲に属する全ての交替、修正及び変更を含む。
【図１】
0005475139.tif 000009
【図２】
0005475139.tif 000010
【図３】
0005475139.tif 000011
【図４】
0005475139.tif 000012
【図５】
0005475139.tif 000013
【図６】
0005475139.tif 000014
【図７】
0005475139.tif 000015
【図８】
0005475139.tif 000016
【図９】
0005475139.tif 000017
【図１０】
0005475139.tif 000018
【図１１】
0005475139.tif 000019
【図１２】
0005475139.tif 000020
【図１３】
0005475139.tif 000021
【図１４】
0005475139.tif 000022
【図１５】
0005475139.tif 000023
【図１６】
0005475139.tif 000024
【図１７】
0005475139.tif 000025
【図１８】
0005475139.tif 000026
【図１９】
0005475139.tif 000027